(57)【要約】【課題】  構造が簡単で工具を使わずに組み立てあるいは分解可能であり、製造原価が安く、廃却時に周囲環境に悪影響を与える畏れが少ないスクリーンを提供する。【解決手段】  スクリーン１を四辺形からなるシート状のスクリーン本体２と、スクリーン本体２が挿通される幅のスリットを全長さ方向に亘って備え、スクリーン本体２の上下方向で対向するスクリーン本体２の二辺２ａ，２ｂを保持する両端部が開口された管体４，６と、スクリーン本体２の左右方向で対向するスクリーン本体２の二辺２ｃ，２ｄの縁部を挟持し波打ちを抑制するフレーム１２，１４と、管体４，６の両端部に嵌め込まれるキャップ２２とで構成する。【選択図】  図１
2006126813.tif 000002
【特許請求の範囲】
【請求項１】
光学プロジェクタにより形成された映写用画像を投影するためのスクリーンであって、
四辺形からなるシート状のスクリーン本体と、
前記スクリーン本体が挿通される幅のスリットを備えた２個の管体と、
前記スクリーン本体の対向する二辺の縁部に固定され、前記スリットより大きい厚さを有する帯状のプレートとを備え、
前記スクリーン本体の対向する二辺の縁部を前記管体の端部から前記管体内部に挿入することにより、前記スクリーン本体の対向する二辺が前記管体に保持されることを特徴とするスクリーン。
【請求項２】
前記スクリーン本体の対向する他の二辺の縁部がフレームにより挟持されたことを特徴とする、請求項１に記載のスクリーン。
【請求項３】
前記管体の両端部にキャップが装着されたことを特徴とする、請求項１又は２に記載のスクリーン。
【請求項４】
前記スクリーンが、紙製であることを特徴とする、請求項１乃至３のいずれかに記載のスクリーン。
【請求項５】
光学プロジェクタにより形成された映写用画像を投影するためのスクリーンであって、
四辺形からなるシート状かつ紙製のスクリーン本体と前記スクリーン本体の一辺の縁部に固定された紙製の支持管体とを有する交換用スクリーンと、
前記交換用スクリーンの支持管体を着脱可能に支持する支持フレームとを備えたことを特徴とするスクリーン。
【請求項６】
前記支持フレームは、ベース部と、前記ベース部に対して回転可能に構成された回転部とを備えており、前記回転部により前記支持管体を前記ベース部に対して回転可能に支持することを特徴とする、請求項５に記載のスクリーン。
【請求項７】
前記スクリーン本体が前記支持管体に巻き取られた状態で前記スクリーン本体を覆うように形成されたカバーを備え、
前記カバーは前記支持フレームのベース部に対して着脱可能に設けられていることを特徴とする、請求項６に記載のスクリーン。
【請求項８】
前記交換用スクリーンは、
前記スクリーン本体が挿通される幅のスリットを備えた紙製の管体と、
前記スクリーン本体の前記支持管体が固定された一辺と対向する辺の縁部に固定され、前記スリットより大きい厚さを有する帯状かつ紙製のプレートと、
紙製のキャップとを備え、
前記スクリーン本体の前記プレートが固定された辺の縁部を前記管体の端部から前記管体内部に挿入することにより、前記スクリーン本体の前記プレートが固定された辺が前記管体に保持され、さらに、前記管体の両端部に前記キャップが装着されたことを特徴とする、請求項５乃至７のいずれかに記載のスクリーン。
【請求項９】
前記スクリーン本体の映像を投影する面にエンボス加工が施されていることを特徴とする、請求項１乃至８のいずれかに記載のスクリーン。
【請求項１０】
前記スクリーン本体の映像を投影する面の裏面が塗装されていることを特徴とする、請求項１乃至９のいずれかに記載のスクリーン。
【請求項１１】
四辺形からなるシート状のスクリーン本体の対向する二辺の縁部に帯状のプレートが固定された交換用スクリーンと、
前記スクリーン本体が挿通される幅のスリットを備えた２個の管体と、
を備え、
前記プレートは、前記スリットより大きい厚さに形成されており、前記スクリーン本体の対向する二辺の縁部を前記管体の端部から前記管体内部に挿入することにより、前記スクリーン本体の対向する二辺が前記管体に保持されるよう構成された、光学プロジェクタにより形成された映写用画像を投影するためのスクリーンに用いられる前記交換用スクリーンであって、
前記スクリーン本体及び前記プレートが紙製であること
を特徴とする交換用スクリーン。
【請求項１２】
四辺形からなるシート状のスクリーン本体と前記スクリーン本体の一辺の縁部に固定された支持管体とを有する交換用スクリーンと、
前記支持管体を着脱可能に支持する支持フレームとを備え、
光学プロジェクタにより形成された映写用画像を前記スクリーン本体に投影する構成のスクリーンに用いられる前記交換用スクリーンであって、
前記スクリーン本体及び前記支持管体が紙製であること
を特徴とする交換用スクリーン。
【請求項１３】
前記スクリーン本体に画像が印刷されていることを特徴とする、請求項１２に記載の交換用スクリーン。
【発明の詳細な説明】
【技術分野】
【０００１】
本発明は、光学プロジェクタにより形成された映写用画像を投影するためのスクリーンに関する。
【背景技術】
【０００２】
従来より、光学プロジェクタにより形成された映写用画像を投影するためのスクリーンには、例えば下記文献に記載されているように、合成樹脂製のスクリーン本体の上下両端部を金属製や合成樹脂製の細長い円柱状あるいは楕円状などのシャフトに取り付け、バネの付勢力を利用して巻き取るようにしたものがある。
【特許文献１】特開平７−２０９７５１号公報
【発明の開示】
【発明が解決しようとする課題】
【０００３】
しかしながら、上記文献に記載されたスクリーンの場合、スクリーン本体が合成樹脂製のため焼却すると、有毒ガスが発生する畏れがある。例えば、スクリーン本体が塩化ビニール製の場合には、廃却時には不燃物として処理しなければならない。更に、スクリーン本体の構造が複雑であるため、製造原価が増加するという問題があった。スクリーン本体が布で作られた例もあるが、その場合は布が経年変化などによって縦横に伸びると元の形状に戻り難く、スクリーン本体の平面度を維持することが困難であるという問題があった。
【０００４】
本発明は、このような事情に鑑みなされたもので、その目的は、構造が簡単で工具を使わずに組み立てあるいは分解可能であり、製造原価が安く、廃却時に周囲環境に悪影響を与える畏れが少ないスクリーンを提供することにある。具体的には、組み立て及び分解を容易に行うことが可能なスクリーンを提供することを第１の目的とし、製造原価が安く、廃却時に周囲環境に悪影響を与える畏れが少ないスクリーンを提供することを第２の目的とする。
【課題を解決するための手段】
【０００５】
上記第１の目的を達成するために、請求項１に記載のスクリーンは、光学プロジェクタにより形成された映写用画像を投影するためのスクリーンであって、四辺形からなるシート状のスクリーン本体と、前記スクリーン本体が挿通される幅のスリットを備えた２個の管体と、前記スクリーン本体の対向する二辺の縁部に固定され、前記スリットより大きい厚さを有する帯状のプレートとを備え、前記スクリーン本体の対向する二辺の縁部を前記管体の端部から前記管体内部に挿入することにより、前記スクリーン本体の対向する二辺が前記管体に保持されることを特徴としている。
【０００６】
このような構成によると、一方の管体を持ち上げたとき、スクリーン本体に固定されたプレートが管体の内側で管体に設けられたスリットに対するストッパとなり、スクリーン本体が管体のスリットからすり抜けることがない。その際、もう一方の管体においても同様にスクリーン本体に固定されたプレートが管体の内側で管体に設けられたスリットに対するストッパとなり、一方の管体を持ち上げたスクリーン本体の下端からもう一方の管体が脱落することがない。又、一方の管体を持ち上げたとき、スクリーン本体が下側の管体の重量によって下方向へ引っ張られるため、スクリーン本体の平面度を向上させることができる。
【０００７】
又、請求項２に記載の発明は、請求項１に記載のスクリーンにおいて、前記スクリーン本体の対向する他の二辺の縁部がフレームにより挟持されたことを特徴としている。
このような構成によると、スクリーン本体の対向する他の二辺の縁部の波打ちや巻き癖が修正され、平面度が向上する。同時に、スクリーン本体の対向する他の二辺の縁部が保護されるので破損する畏れが少なくなる。
【０００８】
又、請求項３に記載の発明は、請求項１又は２に記載のスクリーンにおいて、前記管体の両端部にキャップが装着されたことを特徴としている。
このような構成によると、スクリーン本体が管体から外れることを防止することができる。
【０００９】
更に、上記第２の目的を達成するために、請求項４に記載の発明は、請求項１乃至３のいずれかに記載のスクリーンにおいて、前記スクリーンが、紙製であることを特徴としている。
【００１０】
このような構成によると、スクリーンを構成するスクリーン本体、管体、フレームのいずれもが紙製であるため、スクリーンが軽く取り扱いが容易であり、持ち運びも便利である。又、スクリーンが軽いと天井や壁などにスクリーンを取り付けた際、天井や壁が受ける荷重が小さくてすむ。そのうえ、紙以外の合成樹脂や金属を使用した場合に比べて、紙の原価が一般に安いためスクリーンの製造原価を安く抑えることができる。
【００１１】
更に、紙製のスクリーンの場合には、スクリーンの廃却時に容易に所要の大きさに裁断したり、縮小することができる。又、可燃物として廃却できる上、焼却しても有毒ガスが発生する畏れがない。従って、廃却により周囲環境に悪影響を与える畏れが少なくてすむ。
【００１２】
一方、上記第１、第２の目的を達成するために、請求項５に記載のスクリーンは、光学プロジェクタにより形成された映写用画像を投影するためのスクリーンであって、四辺形からなるシート状かつ紙製のスクリーン本体と前記スクリーン本体の一辺の縁部に固定された紙製の支持管体とを有する交換用スクリーンと、前記交換用スクリーンの支持管体を着脱可能に支持する支持フレームとを備えたことを特徴としている。
【００１３】
このような構成によると、交換用スクリーンは、スクリーン本体及び支持管体が紙製であるため軽く、支持フレームへの着脱作業が容易なものとなる。その結果、スクリーンの組み立て及び分解作業を容易に行うことができる。更に、スクリーン本体が汚れや破れ等の原因によって劣化した場合に、支持フレームを廃棄することなく交換用スクリーンを交換することができる。ここで、交換用スクリーンは紙製であるため、紙以外の合成樹脂や金属を使用した場合に比べて、紙の原価が一般に安いため製造原価を安く抑えることができる。しかも、紙製の交換用スクリーンは、スクリーン本体の廃却時に容易に所要の大きさに裁断したり、縮小することが可能である。又、可燃物として廃却できる上、焼却しても有毒ガスが発生する畏れがない。従って、廃却により周囲環境に悪影響を与える畏れが少なくてすむ。
【００１４】
更に、このような構成によると、交換用スクリーンが紙製であるため、スクリーンが軽く取り扱いが容易となり、持ち運びも便利となる。又、スクリーンが軽いと天井や壁などにスクリーンを取り付けた際、天井や壁が受ける荷重が小さくてすむ。
【００１５】
又、請求項６に記載の発明は、請求項５に記載のスクリーンにおいて、前記支持フレームが、ベース部と、前記ベース部に対して回転可能に構成された回転部とを備えており、前記回転部により前記支持管体を前記ベース部に対して回転可能に支持することを特徴としている。このような構成によると、交換用スクリーンを支持フレームから取り外すことなく、スクリーン本体を支持管体の外周に巻き付けて収納することが可能となる。この結果、スクリーン本体の画像投影面を汚れ等から保護することが可能となる。
【００１６】
又、請求項７に記載の発明は、請求項６に記載のスクリーンにおいて、前記スクリーン本体が前記支持管体に巻き取られた状態で前記スクリーン本体を覆うよう形成されたカバーを備え、前記カバーは前記支持フレームのベース部に対して着脱可能に設けられていることを特徴としている。このような構成によると、支持管体に巻き付けて収納した状態のスクリーン本体を目立たなくするとともに、保護することができる。
【００１７】
又、請求項８に記載の発明は、請求項５乃至請求項７のいずれかに記載のスクリーンにおいて、前記交換用スクリーンは、前記スクリーン本体が挿通される幅のスリットを備えた紙製の管体と、前記スクリーン本体の前記支持管体が固定された一辺と対向する辺の縁部に固定され、前記スリットより大きい厚さを有する帯状かつ紙製のプレートと、紙製のキャップとを備え、前記スクリーン本体の前記プレートが固定された辺の縁部を前記管体の端部から前記管体内部に挿入することにより、前記スクリーン本体の前記プレートが固定された辺が前記管体に保持され、さらに、前記管体の両端部に前記キャップが装着されたことを特徴としている。
【００１８】
このような構成によると、支持管体が支持フレームによって持ち上げられているとき、スクリーン本体に固定されたプレートが管体の内側で管体に設けられたスリットに対するストッパとなり、スクリーン本体が管体のスリットからすり抜けることがない。又、支持管体が支持フレームによって持ち上げられているとき、スクリーン本体が管体の重量によって下方向へ引っ張られるため、スクリーン本体の平面度を向上させることができる。又、管体の両端部にキャップが装着されているため、スクリーン本体に対して管体が外れることを防止することができる。更に、管体、プレート及びキャップが紙製であるため、交換用スクリーンと同様、廃却により周囲環境に悪影響を与える畏れが少なくてすむ。
【００１９】
又、請求項９に記載の発明は、請求項１乃至８のいずれかに記載のスクリーンにおいて、前記スクリーン本体の映像を投影する面にエンボス加工が施されていることを特徴としている。
【００２０】
このような構成によると、スクリーン本体の映像を投影する面の乱反射を防止することができる。
又、請求項１０に記載の発明は、請求項１乃至９のいずれかに記載のスクリーンにおいて、前記スクリーン本体の映像を投影する面の裏面が塗装されていることを特徴としている。
【００２１】
このような構成によると、スクリーン本体の映像を投影する面の裏面からの光の侵入を防ぎ映像が白くぼやけることを防止できる。又、プロジェクタから投影された映像を裏面に逃がしてしまう光の損失を抑制できる。その結果、投影された映像の鮮明度を向上させることができる。
【００２２】
次に、請求項１１に記載の交換用スクリーンは、四辺形からなるシート状のスクリーン本体の対向する二辺の縁部に帯状のプレートが固定された交換用スクリーンと、前記スクリーン本体が挿通される幅のスリットを備えた２個の管体とを備え、前記プレートは、前記スリットより大きい厚さに形成されており、前記スクリーン本体の対向する二辺の縁部を前記管体の端部から前記管体内部に挿入することにより、前記スクリーン本体の対向する二辺が前記管体に保持されるよう構成された、光学プロジェクタにより形成された映写用画像を投影するためのスクリーンに用いられるものである。そして、この交換用スクリーンは、前記スクリーン本体及び前記プレートが紙製であることを特徴としている。
【００２３】
このような構成の交換用スクリーンによれば、請求項１に記載のスクリーンを構成することができ、これにより上述した効果を得ることができる。更に、交換用スクリーンは紙製であるため、上記請求項４に記載のスクリーンのスクリーン本体及びプレートと同様の効果を得ることができる。
【００２４】
次に、請求項１２に記載の交換用スクリーンは、四辺形からなるシート状のスクリーン本体と前記スクリーン本体の一辺の縁部に固定された支持管体とを有する交換用スクリーンと、前記支持管体を着脱可能に支持する支持フレームとを備え、光学プロジェクタにより形成された映写用画像をスクリーン本体に投影する構成のスクリーンに用いられるものである。そして、この交換用スクリーンは、前記スクリーン本体及び前記支持管体が紙製であることを特徴としている。
【００２５】
このような構成の交換用スクリーンによれば、請求項５に記載のスクリーンを構成することができ、これにより上述した効果を得ることができる。
又、請求項１３に記載の発明は、上記請求項１２に記載の交換用スクリーンにおいて、前記スクリーン本体に画像が印刷されていることを特徴としている。このような構成によると、支持フレームに取り付けられることによって、スクリーン本体に印刷された画像を飾ることが可能となり、映写用画像の投影を行わない状態においてもスクリーンを有効利用することができる。
【発明を実施するための最良の形態】
【００２６】
以下、本発明の一実施形態について図面を参照して説明する。
［第１実施形態］
図１は、本第１実施形態のスクリーン１の全体図である。図２は、図１のＡ−Ａ断面を示す図である。図３は、図１のＢ−Ｂ断面を示す図である。図１乃至図３を参照してスクリーン１の構成について説明する。
【００２７】
図１に示すスクリーン１は、スクリーン本体２、管体４，６、フレーム１２，１４及びキャップ２２から構成されている。尚、以下の説明を容易にするため、図１はスクリーン１が上下方向（図１のＵ方向あるいはＤ方向）に広げられ、例えば天井や壁などに吊り下げ紐８によって取り付けられた状態を示すものとする。
【００２８】
スクリーン本体２は、四辺形からなる柔軟なシート状であり紙製である。図１に示すように、四辺形の上下方向で対向する二辺を２ａ，２ｂとし、左右方向（図１のＲ方向あるいはＬ方向）で対向する二辺を２ｃ，２ｄとする。本実施形態では、四辺形の幅（２ａ，２ｂ）は約１３５ｃｍ、高さ（２ｃ，２ｄ）は約８０ｃｍであるが、幅と高さは必要に応じて自由に設計することができる。
【００２９】
スクリーン本体２の上辺２ａには、図２に示す厚さｗ３の帯状のプレート１６がスクリーン本体２に固定されている。プレート１６の厚さｗ３は、管体４のスリット４ａの幅ｗ１より大きくなるように作られている（ｗ３＞ｗ１）。従って、プレート１６が固定されたスクリーン本体２は管体４のスリット４ａから脱落することがない。本実施形態の場合、プレート１６は厚さｗ３が１ｃｍ、幅が２ｃｍの段ボール紙であり、スクリーン本体２の上辺２ａに接着剤で固定されている。
【００３０】
スクリーン本体２の下辺２ｂにもプレート１６と同一形状のプレート１８がスクリーン本体２に固定されている。プレート１８の厚さｗ３は、管体６のスリット６ａの幅ｗ１より大きくなるように作られている（ｗ３＞ｗ１）。従って、プレート１８が固定されたスクリーン本体２は管体６のスリット６ａから脱落することがない。
【００３１】
日本のように多湿な気候の地域では、紙製の管体が空気中の水分を吸い管体４のスリット４ａや管体６のスリット６ａのスリット幅ｗ１が増加することが考えられる。従って、プレート１６，１８の厚さは、これらの気候条件を考慮し、スリット幅が増加してもプレートがスリットから脱落しない大きさに定められている。本実施形態の場合、プレート１８は厚さｗ３が１ｃｍ、幅が２ｃｍの段ボール紙であり、スクリーン本体２の下辺２ｂに接着剤で固定されている。
【００３２】
スクリーン本体２の映像を投影する面には、上下方向及び横方向に等間隔で多数のエンボス加工が施されている。それにより、スクリーン本体２の映像を投影する面の乱反射を防止することができる。
【００３３】
スクリーン本体２の映像を投影する面の裏面は、例えば黒色などで塗装されている。黒色で塗装することにより、スクリーン本体２の映像を投影する面の裏面からの光の侵入を防ぎ映像が白くぼやけることを防止できる。又、黒色塗装によりプロジェクタから投影された映像を裏面に逃がしてしまう光の損失を抑制できる。その結果、投影された映像の鮮明度を向上させることができる。更に、塗装面に例えばニスなどでコーティングを施すと、スクリーン本体２が後述の管体４，６に巻き取られたときスクリーン本体２の映像を投影する面に黒色塗料が付着することがないため、映像を投影する面が汚れる畏れがない。
【００３４】
管体４，６は、図１に示すように、スクリーン本体２の上下方向で対向する二辺２ａ，２ｂの縁部を保持する。管体４は、スクリーン本体２の上辺２ａの縁部を保持し、管体６はスクリーン本体２の下辺２ｂの縁部を保持する。尚、管体４と管体６とは同一形状であるので、ここでは管体４についてのみ説明し、管体６については説明を省略する。
【００３５】
管体４は、スクリーン本体２の上辺２ａよりも長い真っ直ぐな管で両端部は開口している。本実施形態では、管体４は外径が３ｃｍ、肉厚が２ｍｍの円形断面の紙製の管である。管体４には、図２に示すように、その全長に亘って約２ｍｍ幅の直線状のスリット４ａが設けられている。管体４の外側面は、スクリーン本体２と同様の黒色に塗装されている。尚、管体４の断面は円形に限定する必要はなく、例えば楕円形などであってもよい。
【００３６】
管体４には、吊り下げ紐８が２個取り付けられている。吊り下げ紐８は、スクリーン１を天井や壁などに取り付けられたフック（不図示）に引っ掛けて使用する場合に用いる。
フレーム１２，１４は、図１に示すように、スクリーン本体２の左右方向で対向する二辺２ｃ，２ｄを挟持している。フレーム１２とフレーム１４とは、同一形状であるので、ここではフレーム１２についてのみ説明し、フレーム１４については説明を省略する。
【００３７】
フレーム１２は、図３に断面で示すように、矩形の厚紙を４枚になるように折り曲げたものである。片方の折り曲げ部１２ｂともう片方の折り曲げ部１２ｃとの間にスクリーン本体２の厚さｄ１にほぼ等しいスペースを設け、折り曲げ部１２ｂの先端と折り曲げ部１２ｃの先端とを接着剤１２ａで接着する。このスペースにスクリーン本体２の左右方向で対向する二辺２ｃ，２ｄが挟まれるのである。その際、図３に示すように、片方の折り曲げ部１２ｂともう片方の折り曲げ部１２ｃとの折り曲げ幅を変えることによって、スクリーン本体２の左右方向で対向する二辺２ｃ，２ｄのうちの辺２ｃをフレーム１２に挟むことが容易になる。辺２ｄをフレーム１４に挟む場合についても同様である。
【００３８】
フレーム１２の上下方向の長さは、図１に示すように、スクリーン本体２の左右方向で対向する二辺２ｃ，２ｄの長さとほぼ同一にしておくとよい。このようにすると、スクリーン本体２の左右方向で対向する二辺２ｃ，２ｄの縁部がフレーム１２で挟持されるため、スクリーン本体２の左右方向で対向する二辺２ｃ，２ｄの縁部が真っ直ぐになりスクリーン本体２の平面度が向上する。たとえ、スクリーン本体２に波打ちや巻き癖がついていてもフレーム１２でスクリーン本体２の縁部を挟むことにより波打ちや巻き癖が修正される。又、スクリーン本体２の左右方向で対向する二辺２ｃ，２ｄの縁部がフレーム１２，１４で保護されるため破損する畏れがなくなる。本実施形態の場合、フレーム１２は、折り曲げ部１２ｂの幅が約８ｃｍであり、折り曲げ部１２ｃの幅が約６．５ｃｍである。フレーム１２の外側面は、スクリーン本体２と同様の黒色に塗装されている。
【００３９】
キャップ２２は、管体４，６と略同一断面を有する短い管体で片側の端部が蓋で閉じられている。キャップ２２は、管体４及び管体６の両端部に嵌め込まれる。キャップ２２の内径を管体４，６の外径より僅かに大きくなるように作ると、キャップ２２が管体４，６の端部から脱落することがない。従って、管体４及び管体６の両端部に嵌め込まれたキャップ２２は、スクリーン本体２が管体４，６の両端部から外れることを防止するとともに、管体４，６の両端部のスリットが広がることを抑止し、管体４，６の両端部の開口部を保護している。本実施形態の場合、キャップ２２は外径が約３ｃｍの円形断面で長さが３ｃｍである。尚、キャップ２２の外側面は、スクリーン本体２と同様の黒色に塗装されている。
【００４０】
次に、スクリーン１の組み立て及び分解方法について、図１乃至図４を参照して説明する。図４は、スクリーン１の組立分解図である。
スクリーン１を組み立てるには、スクリーン本体２の上端部を、図４に示すように、管体４の端部の開口部分より管体４の内側へ挿入する。この場合、スクリーン本体２の上端部に固定されたプレート１６の上下方向の幅は、図２に示すように、管体４の内径よりも小さくなるように作られているため、スクリーン本体２を管体４の軸方向に沿って挿入することができる。スクリーン本体２の上端部を管体４の端部の開口部分より管体４の内側へ挿入すると同時に、スクリーン本体２を管体４のスリット４ａに挿通させる。そうすると、管体４の内側に挿入されたスクリーン本体２の上端部に固定されたプレート１６の厚さｗ３が管体４に設けられたスリット４ａの幅ｗ１よりも大きいため、スクリーン本体２の上端部がスリット４ａから脱落することなく、スクリーン本体２の上端部が管体４に保持される。
【００４１】
次に、図２に示すように、同様にしてスクリーン本体２の下端部に固定されたプレート１８を管体６の端部の開口部分より管体６の内側へ挿入する。この場合、スクリーン本体２の下端部に固定されたプレート１８の上下方向の幅は、図２に示すように、管体６の内径よりも小さくなるように作られているため、スクリーン本体２を管体６の軸方向に沿って挿入することができる。そうすると、管体６の内側に挿入されたスクリーン本体２の下端部に固定されたプレート１８の厚さｗ３が管体６に設けられたスリット６ａの幅ｗ１よりも大きいため、スクリーン本体２の下端部がスリット６ａから脱落することなく、スクリーン本体２の下端部が管体６に保持される。
【００４２】
次に、図１に示すように、管体４の吊り下げ紐８を持って連結された管体４、スクリーン本体２及び管体６を吊り上げると、スクリーン本体２は管体６の重量によって下方に引っ張られる結果、スクリーン本体２が上下方向に広げられる。そこで、フレーム１２でスクリーン本体２の左右方向の辺２ｃを挟み込み、フレーム１４でスクリーン本体２の左右方向の辺２ｄを挟み込みむとスクリーン本体２の左右方向の二辺２ｃ，２ｄの波打ちが抑制され巻き癖も修正される。従って、スクリーン本体の平面度を向上させることが容易になる。
【００４３】
このようにスクリーン本体２の上下方向で対向する二辺２ａ，２ｂは管体４，６によってそれぞれ保持され、スクリーン本体２の左右方向で対向する二辺２ｃ，２ｄはフレーム１２，１４によって保持されその波打ちや巻き癖がそれぞれ修正されるため、スクリーン本体２の平面度が確保される。更に、スクリーン本体２の左右方向で対向する二辺２ｃ，２ｄの縁部が保護され破損する畏れが少なくなる。その後、管体４，６の両端部の開口部分にキャップ２２を取り付けるとスクリーン本体２が管体４，６から外れなくなり、図１に示す状態のスクリーン１が形成される。
【００４４】
このようにして組み立てられたスクリーン１を分解するには、組み立てた順序の逆の順序で分解してゆけばよい。即ち、まず４個のキャップ２２を管体４，６の両端部から取り外し、スクリーン本体２の下端部を管体６の開口部分から抜き去り、最後にスクリーン本体２の上端部を管体４の開口部分から抜き去るとよい。あるいは、スクリーン本体２は管体４，６のいずれか片方あるいはその両方の管体に巻き付けておくこともできる。
【００４５】
このようなスクリーン１の組み立て作業や分解作業においては、工具を全く必要とせず、人手だけで組み立てや分解を行うことができるため、組み立てや分解を短時間で容易に行うことができる。
【００４６】
又、スクリーン１を構成するスクリーン本体２、管体４，６、フレーム１２，１４、キャップ２２のいずれかが破損あるいは紛失した場合には該当する部品だけを交換あるいは補充すればよいのでスクリーン１の維持費を安く抑えることができる。例えば、スクリーン本体２が汚れたり破損した場合でもスクリーン本体２だけを交換すればよく、スクリーン１全体を交換する必要がない。
【００４７】
更に、スクリーン１を構成するスクリーン本体２、管体４，６、フレーム１２，１４、キャップ２２のいずれもが紙製であるため、スクリーン１が軽く取り扱いが容易であり、持ち運びにも便利である。又、スクリーンが軽いと天井や壁などにスクリーンを取り付ける際、天井や壁が受ける荷重が小さくてすむ。更に、合成樹脂や金属を使用する場合に比べて紙の原価が一般に安いためスクリーン１の製造原価を安く抑えることができる。
【００４８】
スクリーン１の廃却時には容易に所要の大きさに裁断したり、縮小することができる。又、可燃物として廃却できる上、焼却しても有毒ガスが発生する畏れがない。従って、廃却により周囲環境に悪影響を与えることが少なくてすむ。
【００４９】
尚、本第１実施形態のスクリーン１では、スクリーン本体２及びプレート１６，１８が請求項１１に記載の交換用スクリーンに相当する。
［第２実施形態］
次に、第２実施形態のスクリーン２０について説明する。
【００５０】
図５は、本第２実施形態のスクリーン２０を正面から見た外観図である。
このスクリーン２０は、映写用画像の投影面を形成するシート状のスクリーン本体３１を有した紙製のユニットである換装用スクリーン３０と、この換装用スクリーン３０を着脱可能に支持するための支持フレーム４０とに大別される。尚、以下の説明を容易にするため、図５は、支持フレーム４０が天井や壁などに取り付けられ、スクリーン本体３１が支持フレーム４０に装着されて上下方向（図５のＵ方向あるいはＤ方向）に広げられた状態を示すものとする。
【００５１】
換装用スクリーン３０は、スクリーン本体３１、支持管体３２、プレート３３、管体３４及びキャップ３５から構成されている。
スクリーン本体３１は、長さ約１５０ｃｍ、幅約１７２ｃｍの四辺形（長方形）からなる柔軟なシート状かつ紙製のものであって、画像が投影される側の面（前面）には、光学プロジェクタにより形成された映写用画像を投影するための領域である映像投影領域３１ＷＨと、支持フレーム４０に対する映像投影領域３１ＷＨの上下位置を調整するためのアジャスト領域３１ＢＬとが形成されている。ここで、映像投影領域３１ＷＨは、上記第１実施形態のスクリーン本体２と同様、前面にエンボス加工が施されており、裏側は黒色に塗装されている。一方、アジャスト領域３１ＢＬは、映像投影領域３１ＷＨの上部に幅約４５ｃｍの黒い帯状に形成されており、光の反射により映像投影領域３１ＷＨの視認性を阻害しないように、その前面が黒色に塗装されている。また、このスクリーン本体３１において、映像投影領域３１ＷＨとアジャスト領域３１ＢＬとは、２枚の紙を貼り合わせることにより形成されている。具体的には、エンボス加工が施されるとともに片面が黒色に塗装された白い長方形状の紙製シートを上下の２片に裁断し、それら２片を、裁断によって新たに形成された端辺で、白い面が互いに対向するよう両面テープで貼り合わせて１枚のシート状に形成されている。尚、スクリーン本体３１の長さや幅は任意であり必要に応じて自由に設計することができる。また、説明の都合上、図５に示すように、スクリーン本体３１の上下方向で対向する二辺を３１ａ，３１ｂとし、左右方向（図５のＲ方向あるいはＬ方向）で対向する二辺を３１ｃ，３１ｄとする。
【００５２】
スクリーン本体３１の上辺３１ａには、紙製の筒体である支持管体３２が両面テープによって固定されている。本実施形態では、支持管体３２の長さが約１７８ｃｍ、直径が約３．５ｃｍであるが、長さや幅は必要に応じて自由に設計することができる。
【００５３】
又、スクリーン本体３１の下辺３１ｂには、上記第１実施形態のプレート１８、管体６及びキャップ２２と同様、紙製のプレート３３、スリットが形成された紙製の管体３４及び紙製のキャップ３５が設けられている。そして、上記第１実施形態と同様、プレート３３は、スクリーン本体３１の下辺３１ｂに接着剤によって固定されており、管体３４の端部の開口部分より管体３４の内側へ挿入されることで、スクリーン本体３１の下端部が管体３４に保持される。又、上記第１実施形態と同様、管体３４の両端部にはキャップ３５が嵌め込まれている。
【００５４】
このように、換装用スクリーン３０は紙製の部材のみによって構成されている。
一方、図６は、スクリーン２０の上部を正面から見た外観図である。尚、図６においては、支持フレーム４０の構造を分かりやすくするため、換装用スクリーン３０を破線で示している。
【００５５】
同図に示すように、支持フレーム４０は、換装用スクリーン３０の支持管体３２よりも左右方向に長い金属製のフレーム部材４１と、フレーム部材４１の左側端部及び右側端部において互いに対向するように突設され、支持管体３２をその軸方向両側から挟み込むように構成された金属製の左側板４２及び右側板４３とを備えている。そして、支持フレーム４０は、フレーム部材４１が天井や壁などに取り付けられるとともに、左側板４２と右側板４３との間で換装用スクリーン３０の支持管体３２を支持するように構成されている。具体的には、左側板４２には、支持管体３２の左側端部内面に嵌め込まれる合成樹脂製の左嵌合部材４４が設けられており、更に、図７（ａ）にも示すように、この左嵌合部材４４を左側板４２に対して回転可能な状態で支持する合成樹脂製の左ベース部材４５と、左嵌合部材４４を外部操作により回転させるための合成樹脂製の歯車４５ａ及びチェーン４５ｂとが設けられており、チェーン４５ｂは歯車４５ａに対して下方へ垂れ下がるように掛けられている。ここで、チェーン４５ｂは、複数の樹脂製の球体４５ｃ，４５ｃ，…をヒモ４５ｄによって連結し、ヒモ４５ｄの両端が接続されることで輪となるよう構成されたものである。更に、チェーン４５ｂには、この左ベース部材４５と当接することで歯車４５ａの回転を妨げ、歯車４５ａの回転量を調整するための樹脂製のチェーンストッパ４５ｅが、ヒモ４５ｄに対して取り外し可能に設けられている（図７（ｂ）参照）。ここで、チェーンストッパ４５ｅは、樹脂製の円板に、ヒモ４５ｄを狭持するためのスリットが形成されたものである。一方、右側板４３には、支持管体３２の右側端部内面に嵌め込まれる合成樹脂製の右嵌合部材４６が設けられており、更に、図８（ａ）にも示すように、この右嵌合部材４６を右側板４３に対して回転可能な状態で支持する合成樹脂製の右ベース部材４７とが設けられている。このように、換装用スクリーン３０の支持管体３２は、左嵌合部材４４及び右嵌合部材４６によってその両端が支持されており、左嵌合部材４４及び右嵌合部材４６の回転に伴い回転可能となっている。
【００５６】
そして、スクリーン本体３１は、図５に示すように、支持フレーム４０により支持された支持管体３２によってその上辺３１ａの位置が固定されるとともに、下辺３１ｂが管体３４の重量によって下方に引っ張られることにより、上下方向に広げられた状態となっている。又、スクリーン本体３１は、支持フレーム４０の左側端部に設けられたチェーン４５ｂ（図７参照）により左嵌合部材４４が回転されることによって、左嵌合部材４４及び右嵌合部材４６と共に回転する支持管体３２に巻き取られる。これとは逆に、チェーン４５ｂにより左嵌合部材４４がスクリーン本体３１の巻き取り方向と反対方向へ回転されることで、スクリーン本体３１が上下方向に広げられる。ここで、スクリーン本体３１の上下方向への拡張量は、チェーンストッパ４５ｅによって、スクリーン本体３１の上部が支持管体３２に対して略一巻されている状態よりも広がらないように制限される。具体的には、ヒモ４５ｄに対して取り外し可能に構成されたチェーンストッパ４５ｅが、スクリーン本体３１が支持管体３２に略一巻されている状態において、左ベース部材４５に当接するよう取り付けられている。これは、スクリーン本体３１を上下方向に広げすぎると、重力の作用によってスクリーン本体３１が支持管体３２からはがれ落ちてしまうことが考えられるからである。尚、チェーンストッパ４５ｅを２個備えた構成としてもよく、例えば、管体３４が支持フレーム４０に当接する寸前の状態において、支持管体３２がスクリーン本体３１を巻き取る方向へ回転しないよう、チェーンストッパ４５ｅが左ベース部材４５に当接する位置に取り付けられることで、管体３４の支持フレーム４０への衝突を妨げることが可能である。
【００５７】
更に、本スクリーン２０は、図９に示すように、スクリーン本体３１が支持管体３２に巻き取られた状態で、換装用スクリーン３０の両側面、前面及び下面を覆うように形成された略直方体の箱状かつ白い紙製のカバー５０を、支持フレーム４０に対して装着することができるよう構成されている。具体的には、カバー５０には、フレーム部材４１に対して固定されるための、平板状の取付しろ部５１が形成されており、更に、フレーム部材４１の下面と取付しろ部５１の上面とに、表面が輪状を成すパイル地からなる長方形の面ファスナ５２ａと表面が鈎状を成すパイル地からなる長方形の面ファスナ５２ｂとが、それぞれ設けられている。そのため、面ファスナ５２ａの輪状のパイル地に面ファスナ５２ｂの鈎状のパイル地に密着させて係止（結着）することによって、カバー５０を支持フレーム４０に対して着脱できるようになっている。このようなカバー５０により、支持管体３２に巻き付けて収納した状態のスクリーン本体３１を目立たなくするとともに汚れ等から保護することが可能となる。尚、カバー５０の色は任意であり、用途に応じて複数の色及び柄のカバー５０を用意してもよいが、本第２実施形態のカバー５０のように白色とすることで、任意の色への塗り替えが容易となり、使用者が好みの色に塗装することができる。又、カバー５０の材質は、例えば、樹脂や金属に比べて軽く、一般的な紙の中でも比較的高い強度を有する白段ボール（印刷及び塗装を容易に行えるよう、表面が白く加工された段ボール）を用いるとよい。更に、カバー５０の形状もこれに限定されるものではなく、多角形の箱状に形成することでカバー５０の外観を更によいものとすることができる。
【００５８】
ところで、本第２実施形態のスクリーン２０は、紙製の換装用スクリーン３０を交換可能に構成されている。
すなわち、図７（ｂ）に示すように、支持フレーム４０の左側端部において、左嵌合部材４４、左ベース部材４５、歯車４５ａ及びチェーン４５ｂからなるユニットは、左側板４２に対して着脱可能に構成されている。具体的には、左側板４２には、内側（右側板４３と対向する側）へ突出した平板状の突出部４２ａが形成されており、左ベース部材４５における突出部４２ａとの対向面（左嵌合部材４４が設けられている側とは反対側の面）には、突出部４２ａと係合する溝（図示せず）が形成されている。このため、左ベース部材４５が左側板４２に装着されている状態（図７（ａ））では、左側板４２に形成されている溝に左側板４２の突出部４２ａが挿入された状態となり、左ベース部材４５の落下や回転が防止される。
【００５９】
又、図８（ｂ）に示すように、支持フレーム４０の左側端部において、右嵌合部材４６及び右ベース部材４７からなるユニットは、右側板４３に対して着脱可能に構成されている。具体的には、右側板４３には、上下方向で互いに対向するようにＬ字状に折り曲げられた案内片４３ａ，４３ｂが形成されており、更に、右側板の縁部４３ｃが内側方向へ突出するように形成されている。一方、右ベース部材４７には、前方（Ｆ方向側）からのスライド移動により案内片４３ａ，４３ｂの内側に嵌め込まれる鍔部４７ａが形成されている。そして、右ベース部材４７には、案内片４３ａ，４３ｂの前面に当接して本右ベース部材４７の後方へのスライド移動可能位置を制限する後方移動規制部４７ｂと、本右ベース部材４７が後方移動規制部４７ｂにより制限される位置まで嵌め込まれている状態で、右側板４３の縁部４３ｃに引っ掛かって本右ベース部材４７が前方へ抜けることを防止する前方移動規制部４７ｃとが形成されている。更に、右ベース部材４７には、右嵌合部材４６を回転可能な状態で支持するための円柱状の軸部４７ｄが形成されており、右嵌合部材４６には、軸部４７ｄが挿入される貫通孔４６ａが形成されている。
【００６０】
このように構成された本第２実施形態のスクリーン２０では、右ベース部材４７の前方移動規制部４７ｃを内側へ撓ませて右側板４３の縁部４３ｃとの引っ掛かりを解消しつつ、右ベース部材４７を前方へ引き抜くことにより、支持管体３２の右側端部に嵌め込まれた状態の右嵌合部材４６及び右ベース部材４７が右側板４３から取り外される。更に、支持管体３２を右側へ引き抜くことにより、支持管体３２の左側端部に嵌め込まれた状態の左嵌合部材４４、左ベース部材４５、歯車４５ａ及びチェーン４５ｂからなるユニットが左側板４２の突出部から取り外される。その後、支持管体３２から右嵌合部材４６及び左嵌合部材４４を取り外すことにより、換装用スクリーン３０の取り外しが完了する。そして、新しい換装用スクリーン３０を逆の手順で取り付けることにより、換装用スクリーン３０の交換を行うことができる。尚、換装用スクリーン３０の交換を行う場合に、支持管体３２に対するチェーンストッパ４５ｅの位置関係が変化することが考えられる。そのような場合には、再度、上述のようにチェーンストッパ４５ｅの取付け位置を調整することで、支持管体３２の回転を適切な位置で制限することができる。
【００６１】
このように構成された本第２実施形態のスクリーン２０によれば、換装用スクリーン３０が支持フレーム４０に対して着脱可能に構成されているため、スクリーン本体３１が汚れや破れ等の原因によって劣化した場合に、支持フレーム４０を廃棄することなく換装用スクリーン３０を交換することができる。特に、換装用スクリーン３０が紙製であり軽いため、持ち運びも便利となる。この結果、支持フレーム４０への換装用スクリーン３０の着脱作業が容易なものとなり、スクリーン２０の組み立て及び分解作業を容易に行うことができる。又、スクリーン２０が軽いと天井や壁などにスクリーン２０を取り付けた際、天井や壁が受ける荷重が小さくてすむ。尚、本第２実施形態のスクリーン２０は、紙製の換装用スクリーン３０だけを交換可能であるため、支持フレーム４０に、紙に比べて強度や耐久性に優れた金属や樹脂を使用することができる。
【００６２】
又、支持管体３２の左側端部に嵌め込まれた左嵌合部材４４を、チェーン４５ｂによって回転させることで、支持管体３２を支持フレーム４０に対して回転させることができるため、換装用スクリーン３０を支持フレーム４０から取り外すことなく、スクリーン本体３１を支持管体３２の外周に巻き付けて収納することが可能となる。この結果、スクリーン本体３１の画像投影面を汚れ等から保護することができる。更に、フレーム部材４１を天井等の高い位置に固定した場合であっても、フレーム部材４１に対して下方へ垂れ下がるよう構成されたチェーン４５ｂによって低い位置での操作が可能となるため、スクリーン本体３１を支持管体３２に容易に巻き取ることができる。
【００６３】
加えて、支持管体３２への、スクリーン本体３１の上部に形成されたアジャスト領域３１ＢＬの巻き取り量を調整することで、支持管体３２に対する映像投影領域３１ＷＨの上下位置（高さ位置）を変更可能である。尚、アジャスト領域３１ＢＬは縦方向に長ければ長いほど映像投影領域３１ＷＨの位置変更の自由度が高くなる反面、スクリーン本体３１自体も大きくなることから製造原価が増加してしまう問題があるが、本第２実施形態のスクリーン２０は、スクリーン本体３１が紙製であるため樹脂製のものに比べて安価にアジャスト領域３１ＢＬを形成することができ、その結果、映像投影領域３１ＷＨの位置変更可能な範囲が広いスクリーン２０を比較的安価に製造することが可能となる。又、アジャスト領域３１ＢＬは、黒で塗装されており光を反射しにくいため、光の反射により映像投影領域３１ＷＨの視認性を阻害しない。特に、アジャスト領域３１ＢＬをつや消しの黒色とすることで光の反射をより抑制することができ、映像投影領域３１ＷＨの視認性をいっそう高めることが可能である。
【００６４】
尚、換装用スクリーン３０は、紙以外の合成樹脂や金属を使用した場合に比べて、紙の原価が一般に安いため製造原価を安く抑えることができる。又、スクリーン本体３１の映像投影領域３１ＷＨ及びアジャスト領域３１ＢＬは、一枚のシート状の紙を裁断して貼り合わせるだけの簡単な構造により形成されるため、スクリーン本体の一部のみを塗装する場合に比べて容易に製造することができる。しかも、紙製の換装用スクリーン３０は、廃却時に容易に所要の大きさに裁断したり、縮小することができる。又、可燃物として廃却できる上、焼却しても有毒ガスが発生する畏れがない。従って、廃却により周囲環境に悪影響を与える畏れが少なくてすむ。
【００６５】
管体３４は、上記第１実施形態と同様に、スクリーン本体３１の下辺３１ｂに固定されたプレート３３が内側へ挿入されることでスクリーン本体３１の下端部に保持される簡単な構成であるため、工具を全く必要とせず、人手だけで組み立てや分解を行うことが可能となり、組み立てや分解を短時間で容易に行うことができる。又、支持管体３２が支持フレーム４０によって持ち上げられているとき、スクリーン本体３１に固定されたプレート３３が管体３４の内側で管体３４に設けられたスリットに対するストッパとなり、スクリーン本体３１が管体３４のスリットからすり抜けることがない。更に、支持管体３２が支持フレーム４０によって持ち上げられているとき、スクリーン本体３１が管体３４の重量によって下方向へ引っ張られるため、スクリーン本体３１の平面度を向上させることができる。加えて、スクリーン本体３１を支持管体３２によって巻き取る場合に、スクリーン本体３１は下側端辺に取り付けられた管体３４によって下方に引っ張られながら巻き取られるため、スクリーン本体３１をしっかりと支持管体３２へ巻き付けることが可能である。又、管体３４の両端部にキャップ３５が装着されているため、スクリーン本体３１に対して管体３４が外れることを防止することができる。
【００６６】
又、本スクリーン２０は、換装用スクリーン３０が交換可能に構成されているため、スクリーン本体３１の面に画像が印刷されている換装用スクリーン（以下画像スクリーンという）を別途用意し、光学プロジェクタを使用しない場合には、支持フレーム４０に画像スクリーンを取り付けることによって、画像スクリーンに印刷された画像を飾ることができる。この結果、映写用画像の投影を行わない状態においてもスクリーン２０を有効利用することができる。
【００６７】
更に、本第２実施形態のスクリーン２０において、スクリーン本体３１は、支持フレーム４０によって支持されて上下方向に広げられている場合に、例えば、第１実施形態に記載のフレーム１２，１４と同じ構成のフレームによって左右方向で対向する二辺３１ｃ，３１ｄの縁部がそれぞれ挟持されることで、縁部が真っ直ぐになり平面度が向上する。そのため、スクリーン本体３１に波打ちや巻き癖がついていても、フレームによってスクリーン本体３１の縁部を挟むことにより波打ちや巻き癖が修正される。ところで、本第２実施形態のスクリーン２０では、アジャスト領域３１ＢＬによって映像投影領域３１ＷＨの位置を調整した場合に、支持管体３２に対する管体３４の位置が変化するため、複数の長さのフレームを用意することが考えられるが、フレームの長さを調整可能に構成することで、フレームを複数用意する必要が無くなる。具体的には、支持管体３２と管体３４との間の距離が最大である場合に対応する長さのフレームを紙によって形成するとよい。このように構成されたフレームは、紙製であるためナイフ等で裁断することが可能であり、任意の長さに調整可能である。特に、フレームの複数位置に、裁断方向に沿ってミシン目をあらかじめ形成しておけば、フレームの裁断作業が容易になるとともに、スクリーン本体３１の左右に取り付けられるフレームの長さを容易に揃えることが可能となる。
【００６８】
又、本第２実施形態のスクリーン２０は、左ベース部材４５の歯車４５ａとチェーン４５ｂとによってスクリーン本体３１を支持管体３２へ巻き取るよう構成されているが、このような構成に限ったものではなく、例えば、左嵌合部材４４及び右嵌合部材４６によって回転可能に構成された支持管体３２をバネの付勢力によりスクリーン本体３１の巻き取り方向に回転させるプルバック機構によってスクリーン本体３１を支持管体３２に巻き取るよう構成してもよい。このような構成のスクリーン２０によれば、スクリーン本体３１の巻き取り作業が更に容易なものとなる。又、この構成では、支持管体３２を回転させるためのチェーン４５ｂが不要となるため、常時垂れ下がった状態となるチェーン４５ｂが邪魔となることがない。
【００６９】
尚、本第２実施形態のスクリーン２０では、フレーム部材４１、左側板４２、右側板４３、左ベース部材４５、右ベース部材４７が本発明のベース部に相当し、左嵌合部材４４及び右嵌合部材４６が本発明の回転部に相当する。又、スクリーン本体３１及び支持管体３２が請求項１２に記載の交換用スクリーンに相当する。
【図面の簡単な説明】
【００７０】
【図１】第１実施形態のスクリーン１の全体図である。
【図２】図１のＡ−Ａ断面を示す図である。
【図３】図１のＢ−Ｂ断面を示す図である。
【図４】スクリーン１の組立分解図である。
【図５】第２実施形態のスクリーン２０の全体図である。
【図６】支持フレーム４０の外観図（全体）である。
【図７】支持フレーム４０の外観図（左側）である。
【図８】支持フレーム４０の外観図（右側）である。
【図９】カバー５０の外観図である。
【符号の説明】
【００７１】
１，２０…スクリーン、２，３１…スクリーン本体、２ａ，２ｂ，３１ａ，３１ｂ…上下方向で対向する二辺、２ｃ，２ｄ，３１ｃ，３１ｄ…左右方向で対向する二辺、４，６，３４…管体、４ａ，６ａ…スリット、８…吊り下げ紐、１２，１４…フレーム、１２ａ…接着剤、１２ｂ…折り曲げ部、１２ｃ…折り曲げ部、１６，１８，３３…プレート、２２，３５…キャップ、３０…換装用スクリーン、３１ＷＨ…映像投影領域、３１ＢＬ…アジャスト領域、３２…支持管体、４０…支持フレーム、４１…フレーム部材、４２…左側板、４２ａ…突出部、４３…右側板、４３ａ，４３ｂ…案内片、４３ｃ…右側板の縁部、４４…左嵌合部材、４５…左ベース部材、４５ａ…歯車、４５ｂ…チェーン、４５ｃ…球体、４５ｄ…ヒモ、４５ｅ…チェーンストッパ、４６…右嵌合部材、４６ａ…貫通孔、４７…右ベース部材、４７ａ…鍔部、４７ｂ…後方移動規制部、４７ｃ…前方移動規制部、４７ｄ…軸部、５０…カバー、５１…取付しろ部、５２ａ，５２ｂ…面ファスナ
【図１】
2006126813.tif 000003
【図２】
2006126813.tif 000004
【図３】
2006126813.tif 000005
【図４】
2006126813.tif 000006
【図５】
2006126813.tif 000007
【図６】
2006126813.tif 000008
【図７】
2006126813.tif 000009
【図８】
2006126813.tif 000010
【図９】
2006126813.tif 000011